(57)【要約】【課題】  原稿搬送中に、プリンタ部のドアが開かれた等の外的要因による出力画像の画像ずれが発生することを未然に防止することができる画像形成装置を提供する。【解決手段】  原稿搬送路の形状が変化した時に、システム制御部２３からスキャナ制御部２４へ原稿搬送路変化通知を行い（ステップＳ２２１／ＹＥＳ）、原稿モータの駆動を停止し（ステップＳ２２２）、システム制御部２３へ原稿ジャム（紙詰まり）として通知することで（ステップＳ２２３）、画像ずれの発生を未然に防止する。また、原稿搬送路の形状が変化した時に（ステップＳ３２２）、ジャムとして原稿搬送を停止するのではなく（ステップＳ３２４／ＮＯ）、無効スキャンとして排出することも可能である（ステップＳ３２６）。【選択図】  図４
2005123896.tif 000002
【特許請求の範囲】
【請求項１】
千鳥状に配置された複数のイメージセンサを備えて構成された原稿読取部を有する画像形成装置において、
前記原稿読取部が画像読取途中に、原稿搬送路形状の変化を検出する検出手段と、
前記画像読取途中の原稿搬送路形状の変化が前記検出手段により検出された時に、原稿の搬送を停止する停止手段とを有することを特徴とする画像形成装置。
【請求項２】
前記停止手段は、前記検出手段により前記画像読取中の原稿搬送路形状の変化が検出されたときに、原稿の搬送を紙詰まりとして停止させることを特徴とする請求項１記載の画像形成装置。
【請求項３】
千鳥状に配置された複数のイメージセンサを備えて構成された原稿読取部を有する画像形成装置において、
前記原稿読取部が画像読取途中に、原稿搬送路形状の変化を検出する検出手段と、
前記画像読取途中に原稿搬送路形状の変化が前記検出手段により検出された時に、前記画像読取を無効として原稿を排出する排出手段とを有することを特徴とする画像形成装置。
【請求項４】
前記排出手段によって原稿が排出された後、再度画像の読取を行うか否かの選択を要求する旨のメッセージを描画する表示手段を有することを特徴とする請求項３記載の画像形成装置。
【請求項５】
千鳥状に配置された複数のイメージセンサを備えて構成された原稿読取部を有する画像形成装置において、
前記画像読取部が画像読取途中に、原稿搬送路形状の変化を検出する検出手段と、
前記画像読取途中に原稿搬送路形状の変化が前記検出手段により検出された時に、原稿搬送を停止するか、前記画像読取を無効として原稿を排出するか、前記画像読取を継続するか、のうちいずれか１つを選択できる選択手段と、
前記原稿搬送の停止が選択された場合、原稿の搬送を停止する停止手段と、
前記画像読取を無効として原稿を排出が選択された場合、画像読取を無効として原稿を排出する排出手段と、
前記画像読取を継続が選択された場合、画像読取を継続する継続手段とを有することを特徴とする画像形成装置。
【請求項６】
前記検出手段により前記画像読取中の原稿搬送路形状の変化が検出されたときに、前記停止手段により原稿の搬送を紙詰まりとして停止するか、前記画像読取を無効として原稿を排出するか、前記画像読取を継続するか、のうちいずれか１つを選択できる選択手段と、
前記原稿の搬送を紙詰まりとして停止するが選択された場合、原稿の搬送を紙詰まりとして停止する停止手段とを有することを特徴とする請求項５記載の画像形成装置。
【請求項７】
千鳥状に配置された複数のイメージセンサを備えて構成された原稿読取部を有する画像形成方法において、
前記原稿読取部が画像読取途中に、原稿搬送路形状の変化を検出する検出工程と、
前記画像読取途中の原稿搬送路形状の変化が前記検出手段により検出された時に、原稿の搬送を停止する停止工程とを有することを特徴とする画像形成方法。
【請求項８】
前記停止工程は、前記検出工程により前記画像読取中の原稿搬送路形状の変化が検出されたときに、原稿の搬送を紙詰まりとして停止させることを特徴とする請求項７記載の画
像形成方法。
【請求項９】
千鳥状に配置された複数のイメージセンサを備えて構成された原稿読取部を有する画像形成方法において、
前記原稿読取部が画像読取途中に、原稿搬送路形状の変化を検出する検出工程と、
前記画像読取途中に原稿搬送路形状の変化が前記検出手段により検出された時に、前記画像読取を無効として原稿を排出する排出工程とを有することを特徴とする画像形成方法。
【請求項１０】
前記排出手段によって原稿が排出された後、再度画像の読取を行うか否かの選択を要求する旨のメッセージを描画する表示工程を有することを特徴とする請求項９記載の画像形成方法。
【請求項１１】
千鳥状に配置された複数のイメージセンサを備えて構成された原稿読取部を有する画像形成方法において、
前記画像読取部が画像読取途中に、原稿搬送路形状の変化を検出する検出工程と、
前記画像読取途中に原稿搬送路形状の変化が前記検出手段により検出された時に、原稿搬送を停止するか、前記画像読取を無効として原稿を排出するか、前記画像読取を継続するか、のうちいずれか１つを選択できる選択工程と、
前記原稿搬送の停止が選択された場合、原稿の搬送を停止する停止工程と、
前記画像読取を無効として原稿を排出が選択された場合、画像読取を無効として原稿を排出する排出工程と、
前記画像読取を継続が選択された場合、画像読取を継続する継続工程とを有することを特徴とする画像形成方法。
【請求項１２】
前記検出工程により前記画像読取中の原稿搬送路形状の変化が検出されたときに、前記停止手段により原稿の搬送を紙詰まりとして停止するか、前記画像読取を無効として原稿を排出するか、前記画像読取を継続するか、のうちいずれか１つを選択できる選択工程と、
前記原稿の搬送を紙詰まりとして停止するが選択された場合、原稿の搬送を紙詰まりとして停止する停止工程とを有することを特徴とする請求項１１記載の画像形成方法。
【発明の詳細な説明】
【技術分野】
【０００１】
本発明は、千鳥状イメージセンサで構成された読取ユニットを有する原稿移動式画像形成装置における出力画像の異常を防止する画像形成装置及び方法に関するものである。
【背景技術】
【０００２】
従来、均一濃度の原稿を読み取った場合であっても、各イメージセンサの読取画素感度等のばらつきにより、出力される読取画像データの濃度（出力レベル）差が生じていた。たとえこの濃度差が僅かである場合でも、副走査方向にラインデータを連続して出力すると、各センサのつなぎ目部分の出力画像が明らかな濃度の境界として現れることとなり、良好な画像データを得ることができなかった。
【０００３】
特許文献１は、複数のイメージセンサを有する画像読取装置において、その出力画像の各センサのつなぎ目部分に現れる濃淡の境界あるいは画像ずれの発生を防止する画像読取装置の提供を目的としている。具体的には、千鳥状に配列された複数のイメージセンサのうち、副走査方向について一方向に配置されるイメージセンサにおける原稿画像全体の画像データを格納し、この格納したデータに基づいて副走査方向について他方側に配置されるイメージセンサにおける格納した画像データを得た読取画素と主走査方向について重なる読取画素により得られる画像データの補正手段を提案している。
【特許文献１】特開２００３−４６７３６号公報
【発明の開示】
【発明が解決しようとする課題】
【０００４】
上記特許文献１では、千鳥状に配置された各イメージセンサによる出力画像の各センサのつなぎ目部分に現れる濃淡の境界および画像ずれの発生を防止する手段として、イメージセンサにより得た画像データを用いた補正手段を提案している。
【０００５】
しかし、特許文献１記載の発明は、あくまでイメージセンサの読取画素感度等のばらつきによるものを補正するものであり、外的要因による画像ずれについては対処できない。
【０００６】
本発明は、千鳥状の複数イメージセンサで構成された原稿読取ユニットと一体型の画像形成装置の場合、原稿読取中の原稿搬送速度は、常に一定速度を維持している必要がある。しかし、プリンタ部のドアが開かれた状態になると、原稿搬送路の形状が変化し、原稿搬送速度を一定に維持できなくなる。そこで、プリンタ部のドアが開かれた等で、原稿搬送路の形状が変わった場合、スキャン途中の原稿を紙詰まりとすることで、出力画像の異常を防止することを目的とする。
【０００７】
また、本発明は、原稿搬送路形状の変化により、原稿搬送速度を一定に維持できなくなった時、無効スキャンとして、原稿を排出することも可能である。さらに、無効スキャンであり、再度スキャンをやり直す旨の表示を描画することで、画像ずれによる異常を防止し、操作性を向上することを目的とする。
【０００８】
さらに本発明は、千鳥状の複数イメージセンサで構成された原稿読取ユニットと一体型の画像形成装置において、プリンタ部のドアが開かれた等で、原稿搬送路の形状が変化した場合、スキャン途中の原稿を紙詰まりとするか、無効スキャンとするか、スキャンを続行するかをユーザ選択可能とすることで、操作性の向上を図ることを目的とする。
【課題を解決するための手段】
【０００９】
請求項１記載の画像形成装置は、千鳥状に配置された複数のイメージセンサを備えて構成された原稿読取部を有する画像形成装置において、前記原稿読取部が画像読取途中に、原稿搬送路形状の変化を検出する検出手段と、前記画像読取途中の原稿搬送路形状の変化が前記検出手段により検出された時に、原稿の搬送を停止する停止手段とを有することを特徴とする。
【００１０】
請求項２記載の発明は、請求項１記載の画像形成装置において、前記停止手段は、前記検出手段により前記画像読取中の原稿搬送路形状の変化が検出されたときに、原稿の搬送を紙詰まりとして停止させることを特徴とする。
【００１１】
請求項３記載の画像形成装置は、千鳥状に配置された複数のイメージセンサを備えて構成された原稿読取部を有する画像形成装置において、前記原稿読取部が画像読取途中に、原稿搬送路形状の変化を検出する検出手段と、前記画像読取途中に原稿搬送路形状の変化が前記検出手段により検出された時に、前記画像読取を無効として原稿を排出する排出手段とを有することを特徴とする。
【００１２】
請求項４記載の発明は、請求項３記載の画像形成装置において、前記排出手段によって原稿が排出された後、再度画像の読取を行うか否かの選択を要求する旨のメッセージを描画する表示手段を有することを特徴とする。
【００１３】
請求項５記載の画像形成装置は、千鳥状に配置された複数のイメージセンサを備えて構成された原稿読取部を有する画像形成装置において、前記画像読取部が画像読取途中に、原稿搬送路形状の変化を検出する検出手段と、前記画像読取途中に原稿搬送路形状の変化が前記検出手段により検出された時に、原稿搬送を停止するか、前記画像読取を無効として原稿を排出するか、前記画像読取を継続するか、のうちいずれか１つを選択できる選択手段と、前記原稿搬送の停止が選択された場合、原稿の搬送を停止する停止手段と、前記画像読取を無効として原稿を排出が選択された場合、画像読取を無効として原稿を排出する排出手段と、前記画像読取を継続が選択された場合、画像読取を継続する継続手段とを有することを特徴とする。
【００１４】
請求項６記載の発明は、請求項５記載の画像形成装置において、前記検出手段により前記画像読取中の原稿搬送路形状の変化が検出されたときに、前記停止手段により原稿の搬送を紙詰まりとして停止するか、前記画像読取を無効として原稿を排出するか、前記画像読取を継続するか、のうちいずれか１つを選択できる選択手段と、前記原稿の搬送を紙詰まりとして停止するが選択された場合、原稿の搬送を紙詰まりとして停止する停止手段とを有することを特徴とする。
【００１５】
請求項７記載の画像形成方法は、千鳥状に配置された複数のイメージセンサを備えて構成された原稿読取部を有する画像形成方法において、前記原稿読取部が画像読取途中に、原稿搬送路形状の変化を検出する検出工程と、前記画像読取途中の原稿搬送路形状の変化が前記検出手段により検出された時に、原稿の搬送を停止する停止工程とを有することを特徴とする。
【００１６】
請求項８記載の発明は、請求項７記載の画像形成方法において、前記停止工程は、前記検出工程により前記画像読取中の原稿搬送路形状の変化が検出されたときに、原稿の搬送を紙詰まりとして停止させることを特徴とする。
【００１７】
請求項９記載の画像形成方法は、千鳥状に配置された複数のイメージセンサを備えて構成された原稿読取部を有する画像形成方法において、前記原稿読取部が画像読取途中に、原稿搬送路形状の変化を検出する検出工程と、前記画像読取途中に原稿搬送路形状の変化
が前記検出手段により検出された時に、前記画像読取を無効として原稿を排出する排出工程とを有することを特徴とする。
【００１８】
請求項１０記載の発明は、請求項９記載の画像形成方法において、前記排出手段によって原稿が排出された後、再度画像の読取を行うか否かの選択を要求する旨のメッセージを描画する表示工程を有することを特徴とする。
【００１９】
請求項１１記載の画像形成方法は、千鳥状に配置された複数のイメージセンサを備えて構成された原稿読取部を有する画像形成方法において、前記画像読取部が画像読取途中に、原稿搬送路形状の変化を検出する検出工程と、前記画像読取途中に原稿搬送路形状の変化が前記検出手段により検出された時に、原稿搬送を停止するか、前記画像読取を無効として原稿を排出するか、前記画像読取を継続するか、のうちいずれか１つを選択できる選択工程と、前記原稿搬送の停止が選択された場合、原稿の搬送を停止する停止工程と、前記画像読取を無効として原稿を排出が選択された場合、画像読取を無効として原稿を排出する排出工程と、前記画像読取を継続が選択された場合、画像読取を継続する継続工程とを有することを特徴とする。
【００２０】
請求項１２記載の発明は、請求項１１記載の画像形成方法において、前記検出工程により前記画像読取中の原稿搬送路形状の変化が検出されたときに、前記停止手段により原稿の搬送を紙詰まりとして停止するか、前記画像読取を無効として原稿を排出するか、前記画像読取を継続するか、のうちいずれか１つを選択できる選択工程と、前記原稿の搬送を紙詰まりとして停止するが選択された場合、原稿の搬送を紙詰まりとして停止する停止工程とを有することを特徴とする。
【発明の効果】
【００２１】
プリンタ部のドアが開かれた状態等の外的要因により原稿搬送路の形状が変化し、原稿搬送速度を一定に維持することができなくなることによる画像ずれが発生した際、原稿の搬送が停止するので、異常コピー出力を未然に防止することができる。
【発明を実施するための最良の形態】
【００２２】
本発明は、複写機等の画像形成装置に関し、特には、千鳥状イメージセンサで構成された読取ユニットを有する原稿移動式スキャナ一体型画像形成装置において、画像ずれの要因となるプリンタ部のドアが開かれたことによる原稿搬送経路形状の変化を原稿搬送段階で認識できることを特徴とする。
【００２３】
また、原稿搬送路形状の変化が生じたときに、スキャン途中の原稿搬送を停止するか、無効スキャンとし排出するか、スキャンを継続するかを選択できるので、操作性の向上を図られる。
【実施例１】
【００２４】
ここでは、本発明を適用した広幅デジタル複写機についての実施例を説明する。
【００２５】
本来、原稿スキャン動作の他に転写紙の給紙動作、作像プロセス、画像処理、メモリ処理部等の処理が行われるが、本発明での説明は割愛する。
【００２６】
本発明を適用した広幅デジタル複写機の原稿スキャン動作における各制御部の処理実施例を図１から図１３を参考に説明する。図１は、広幅デジタル複写機制御部の構成を示すブロック図である。制御部は、操作制御部２０、コピー制御部２１、ＳＰ／ＵＰ制御部２２、システム制御部２３、スキャナ制御部２４、画像処理部２５、エンジン制御部２６、書込制御部２７からなり、各制御部は、システム制御部２３からの通知を受け、原稿の複
写過程において行われる動作を制御する。
【００２７】
図２は、本発明を適用した広幅デジタル複写機の断面図である。広幅デジタル複写機は、原稿サイズセンサ１００、原稿入口センサ１０１、原稿レジストセンサ１０２、原稿排出ローラ１０３、原稿入口ローラ１０４、原稿読取ユニット１０５、書込ユニット１１０、現像器１１１、用紙レジストローラ１２０、用紙レジストセンサ１２１、感光体１２２、転写・分離ユニット１２３、定着ローラ１２４、用紙排出センサ１２５、加圧ローラ１２６、給紙出口ローラ１３０、カッターユニット１３１、用紙出口センサ１３２、給紙ローラ（１）１３３、給紙ローラ（２）１３４、ロール紙（１）１３５、ロール紙（２）１３６から構成される。
【００２８】
図３は、広幅デジタル複写機スキャナ制御部２４の原稿搬送路変化時における処理実施例を示すフローチャートである。広幅デジタル複写機では、コピーに対する各種条件設定の終了後、図９に示すように、原稿ユニットの原稿入口ローラ１０４に原稿を突き当てることがコピー動作の開始トリガとなる。
【００２９】
スキャナ制御部２４は、この原稿挿入動作を原稿挿入センサ１０１で検出すると（ステップＳ２０１／ＹＥＳ）、システム制御部２３へ原稿挿入によるコピー開始状態であることを通知する（ステップＳ２０２）。次に、原稿駆動開始要求が行われ、システム制御部２３は、現在の操作制御部２０で設定されるリピート枚数や変倍率等の各種コピー設定を確定させ、コピー条件（プロセス条件）を設定し、コピーの開始要求にプロセス条件を付加したものをエンジン制御部２６へ通知する。プロセス条件が付加されたプロセス開始要求を受け取ったエンジン制御部２６は、スキャナ制御部２４に対して、原稿駆動開始を要求する（ステップＳ２０３／ＹＥＳ）。駆動開始要求を受け取ったスキャナ制御部２４は、要求されたプロセス条件をもとに原稿搬送スピードを決定し（ステップＳ２０４）、原稿搬送モータの正転動作を開始する（ステップＳ２０５）。原稿搬送モータは、原稿入口ローラ１０４及び原稿排出ローラ１０３の両ローラの回転を開始し、原稿は搬送を開始する。搬送を開始した原稿の先端は、やがて原稿レジストセンサ１０２をＯＮし（ステップＳ２０６／ＹＥＳ）、図１３に示す千鳥状に配置されたイメージセンサで構成される原稿読取ユニット１０５に到達する。
【００３０】
原稿の先端が原稿レジストセンサ１０２を感知し、原稿長の測定が開始されると（ステップＳ２０７）、原稿搬送路変化通知監視処理が行われる（ステップＳ２０８）。
【００３１】
ここで、スキャナ制御部２４における原稿搬送路変化通知処理実施例を図４に示す。エンジン制御部２６は、原稿搬送中（図１０）、常に図１１に示すようなプリンタ部のドアが開かれた状態の発生を監視し、プリンタ部のドアが開かれた状態を認識した時、システム制御部２３に対して、原稿搬送路変化通知を行う（ステップＳ３０２、ステップＳ３１２、ステップＳ３２２）。原稿読取最中に、システム制御部２３より原稿搬送路変化通知を受け取ったスキャナ制御部２４（ステップＳ２２１／ＹＥＳ）は、直ちに、原稿モータの駆動を停止し（ステップＳ２２２）、システム制御部２３へ原稿ジャム（紙詰まり）を通知する（ステップＳ２２３）。該通知により原稿搬送路変化通知監視処理は、終了する。一方、原稿搬送路変化通知がない場合は（ステップＳ２２１／ＮＯ）、システム制御部２３に対して何らの通知も行われず、原稿搬送路変化通知監視処理は終了する。
【００３２】
なお、原稿搬送路変化通知は、プリンタ部のドアが開かれた状態に限定することなく、図１２に示す排紙カバーオープン等、原稿搬送路の形状が変化する全てのエンジンドアオープンに対して通知するものとする。
【００３３】
プリンタ部のドアが開かれたこと等で原稿搬送路の形状が変わり、原稿搬送速度を一定
に維持することができなくなることによる画像ずれの発生要因があった場合、紙詰まりとして停止するので、異常コピー出力を未然に防止することができる。
【００３４】
原稿搬送路変化通知監視処理（ステップＳ２０８）を終え、原稿レジストセンサ１０２がＯＦＦになると（ステップＳ２０９）、原稿長測定が終了する（ステップＳ２１０）。その後、原稿が排出ローラ１０３まで搬送されている時は（ステップＳ２１１／ＹＥＳ）、原稿搬送モータの駆動が停止し（ステップＳ２１２）、システム制御部２３に対してスキャン動作の終了を通知する（ステップＳ２１３）。
【実施例２】
【００３５】
図５にシステム制御部２３が行うスキャナ制御部２４に対する原稿搬送路変化通知処理実施例を示す。原稿が搬送され（ステップＳ３０１／ＹＥＳ）、エンジン制御部２６から原稿搬送路変化通知があると（ステップＳ３０２／ＹＥＳ）、スキャナ制御部２４へジャム（紙詰まり）停止要求がなされ（ステップＳ３０４）、原稿搬送路変化通知処理は終了する。
【００３６】
エンジン制御部２６からの原稿搬送路変化通知がない場合（ステップＳ３０２／ＮＯ）は、スキャナ制御部２４からの原稿終了通知を待って（ステップＳ３０３／ＹＥＳ）、システム制御部２３における原稿搬送路変化通知処理は終了する。一方、スキャナ制御部２４からの原稿終了通知がなされず（ステップＳ３０３／ＮＯ）、原稿の搬送が続けられ、エンジン制御部２６から原稿搬送路変化通知がなかった時は（ステップＳ３０２／ＹＥＳ）、スキャナ制御部２４からの原稿終了通知を待って（ステップＳ３０３／ＹＥＳ）、システム制御部２３における原稿搬送路変化通知処理は、終了する。
【００３７】
図６にシステム制御部２３が行う操作処理部２０に対する原稿搬送路変化通知処理実施例を示す。ステップＳ３１２までは、図５と同様の処理が行われる。しかし、エンジン制御部２６から原稿搬送路変化通知があると（ステップＳ３１２／ＹＥＳ）、操作処理部２０へメッセージの描画要求がなされ（ステップＳ３１４）、システム制御部２３からの操作制御部２０に対する原稿搬送路変化通知処理は、終了する。
【００３８】
プリンタ部のドアが開かれた等により原稿搬送路の形状が変わり、原稿搬送速度を一定に維持することが出来なくなることによる画像ずれの発生要因があった場合、操作部に無効コピーの旨を表示し、ユーザに伝えることができるので、コピー出力画像を見なくても異常画像となった事を認識することができる。
【実施例３】
【００３９】
なお、本発明は、操作制御部２０において、ユーザ設定で、原稿搬送路変化後の動作について「ジャムとして停止とする」、「無効スキャンとする」、「原稿搬送路変化があっても無視してコピー」の以上３種類の動作を選択することができる手段を有している。図７に、原稿搬送路変化後の動作が選択される場合のシステム制御部２３における原稿搬送路変化通知処理実施例を示す。
【００４０】
エンジン制御部２６からの原稿搬送路変化通知がなされる（ステップＳ３２２／ＹＥＳ）までの処理は、図５及び図６と同様である。エンジン制御部２６からの原稿搬送路変化通知に対し（ステップＳ３２２／ＹＥＳ）、「ジャム（紙詰まり）として停止させる」（ステップＳ３２４／ＹＥＳ）が選択された場合、スキャナ制御部２４へジャム（紙詰まり）とし停止する要求がなされ（ステップＳ３２５）、システム制御部２３での原稿搬送路変化通知処理は、終了する。一方、途中で停止させることなく（ステップＳ３２４／ＮＯ）、無効スキャンとして排出する場合（ステップＳ３２６／ＹＥＳ）、システム制御部２３は、操作制御部２０へメッセージ描画要求を行い（ステップＳ３２７）、原稿搬送路変
化通知処理は、終了する。なお、「原稿搬送路変化があっても無視してコピー」が選択されている場合は（ステップＳ３２６／ＮＯ）、操作制御部２０に対してもスキャナ制御部２４に対しても何の通知も行わない。その結果、通常スキャン扱いとなる。
【００４１】
ユーザが任意に、プリンタ部のドアが開かれたこと等により原稿搬送路形状が変わり、原稿搬送速度を一定に維持することが出来なくなることによる画像ずれの発生要因があった場合の動作を選択することができるので、さらに操作性が向上する。
【実施例４】
【００４２】
図８に操作制御部２０における原稿搬送路変化通知処理実施例を示す。原稿読取最中に、エンジン制御部２６より原稿搬送路変化通知を受け取ったシステム制御部２３は、直ちに、操作制御部２０へ無効スキャンの実施中であることを通知する（ステップＳ４０２／ＹＥＳ）。スキャン動作終了通知を受け取ったシステム制御部２３は、操作制御部２０へスキャン動作の終了を通知する（ステップＳ４０４／ＹＥＳ）。操作制御部２０が、原稿搬送路変化通知の受信後でかつ、スキャン動作終了通知をスキャナ制御部２４から受け取ったならば（ステップＳ４０４／ＹＥＳ）、「スキャンのやり直し」を促す意のメッセージを表示され（ステップＳ４０５／ＹＥＳ）、操作制御部２０における原稿搬送路変化通知処理は、終了する。再スキャンメッセージが描画中でない場合（ステップＳ４０５／ＮＯ）は、再スキャンメッセージが描画され（ステップＳ４０６）、原稿搬送路変化通知処理は終了する。
【００４３】
スキャナ制御部２４からスキャン動作終了通知がない場合は（ステップＳ４０４／ＮＯ）、通知を待って、再スキャンメッセージの描画を行う（ステップＳ４０６）。
【００４４】
なお、エンジン制御部２６からシステム制御部２３へ原稿搬送路変化通知がない場合は（ステップＳ４０２／ＮＯ）、スキャナ制御部２５からの原稿終了通知を待って（ステップＳ４０３／ＹＥＳ）、操作制御部２０における原稿搬送路変化通知処理は、終了する。
【図面の簡単な説明】
【００４５】
【図１】本発明を適用した広幅デジタル複写機の制御部の構成例を示す図である。
【図２】本発明を適用した広幅デジタル複写機の機械断面図である。
【図３】本発明を適用した広幅デジタル複写機のスキャナ制御部の処理手順を示すフローチャートである。
【図４】本発明を適用した広幅デジタル複写機のスキャナ制御部の原稿搬送路変化通知監視処理を示すフローチャートである。
【図５】本発明を適用した広幅デジタル複写機のシステム制御部でのスキャナ制御部に対する原稿搬送路変化通知処理を示すフローチャートである。
【図６】本発明を適用した広幅デジタル複写機のシステム制御部での操作処理部に対する原稿搬送路変化通知処理を示すフローチャートである。
【図７】本発明を適用した広幅デジタル複写機において、ユーザの動作設定に対して行われるシステム制御部の原稿搬送路変化通知処理を示すフローチャートである。
【図８】本発明を適用した広幅デジタル複写機の操作制御部での原稿搬送路変化通知に対する処理を示すフローチャートである。
【図９】広幅デジタル複写機に原稿を挿入する様子を示す図である。
【図１０】広幅デジタル複写機中を原稿が搬送される様子を示す図である。
【図１１】広幅デジタル複写機のプリント部のドアを開いた状態を示す図である。
【図１２】広幅デジタル複写機の排紙カバーを開いた状態を示す図である。
【図１３】広幅デジタル複写機の原稿用見取ユニットを示す図である。
【符号の説明】
【００４６】
２０    操作制御部
２３    システム制御部
２４    スキャナ制御部
２６    エンジン制御部
１０１    原稿入口センサ
１０２    原稿レジストセンサ
１０３    原稿排出ローラ
１０４    原稿入口ローラ
１０５    原稿読取ユニット
【図１】
2005123896.tif 000003
【図２】
2005123896.tif 000004
【図３】
2005123896.tif 000005
【図４】
2005123896.tif 000006
【図５】
2005123896.tif 000007
【図６】
2005123896.tif 000008
【図７】
2005123896.tif 000009
【図８】
2005123896.tif 000010
【図９】
2005123896.tif 000011
【図１０】
2005123896.tif 000012
【図１１】
2005123896.tif 000013
【図１２】
2005123896.tif 000014
【図１３】
2005123896.tif 000015